(57)【要約】【課題】携帯端末から車載装置に送信するデータ量を低減し易く、且つ、車載装置側でスムーズに表示し易くした情報表示システムおよび車載装置を提供する。【解決手段】携帯端末側の情報処理部は、車載装置の画面の一部に割り当てた表示エリアを表示先に指定する表示エリア番号（表示先指定情報）を車載装置に送信するとともに、携帯端末の表示イメージ情報（表示情報に相当）を、表示先の表示エリアに合わせた情報にして車載装置に送信する（ステップＳ１６）。また、車載装置側の情報処理部は、表示部により、表示エリア番号（表示先指定情報）で指定された表示エリアに、受信した表示イメージ情報に対応する画像を表示させる（ステップＳ１７）。【選択図】図９
2015089073.tif 000002
【特許請求の範囲】
【請求項１】
車両内の携帯端末の画面に表示される表示情報を車載装置に送信し、前記車載装置の画面に表示させる情報表示システムにおいて、
前記携帯端末は、前記車載装置の画面の一部に割り当てた表示エリアを表示先に指定する表示先指定情報を、前記車載装置に送信するとともに、前記表示情報を、指定された前記表示エリアに合わせた表示情報にして前記車載装置に送信する携帯側情報処理部を有し、
前記車載装置は、前記表示先指定情報で指定された前記表示エリアに、受信した前記表示情報に対応する画像を表示させる車載側情報処理部を有することを特徴とする情報表示システム。
【請求項２】
前記携帯側情報処理部は、前記表示情報を、前記表示エリアの画面サイズ、画素数および色数の少なくともいずれかに合わせた情報に変換して、前記車載装置に送信することを特徴とする請求項１に記載の情報表示システム。
【請求項３】
前記表示先指定情報は、前記車載装置の画面の異なる領域に設定された複数の前記表示エリアのうちの１つ以上を指定する情報であり、
前記携帯側情報処理部は、前記表示先指定情報で指定された前記表示エリア毎に、各表示エリアに合わせた前記表示情報を送信することを特徴とする請求項１又は２に記載の情報表示システム。
【請求項４】
前記携帯側情報処理部は、一又は複数の前記表示エリアが設定された複数のテンプレートのいずれかを指定するテンプレート指定情報を、前記車載装置に送信し、
前記表示先指定情報は、指定された前記テンプレートにある表示先の表示エリアを指定する情報であることを特徴とする請求項１乃至３のいずれか一項に記載の情報表示システム。
【請求項５】
前記車載側情報処理部は、発生したイベントを特定するイベント特定情報を前記携帯端末に送信し、
前記携帯側情報処理部は、前記イベント特定情報に基づいていずれかの前記表示エリアまたは前記テンプレートを選択し、選択した前記表示エリアを指定する前記表示先指定情報、または、選択した前記テンプレートを指定する前記テンプレート指定情報を、前記車載装置に送信することを特徴とする請求項４に記載の情報表示システム。
【請求項６】
前記携帯側情報処理部は、前記携帯端末の音声情報を、前記車載装置の音声出力形態に合わせた音声情報にして前記車載装置に送信し、
前記車載側情報処理部は、受信した前記音声情報に基づいて音声を出力させることを特徴とする請求項１乃至５のいずれか一項に記載の情報表示システム。
【請求項７】
車両内の携帯端末から前記携帯端末の画面に表示される表示情報を受信して画面に表示させる車載装置において、
前記携帯端末から、当該車載装置の画面の一部に割り当てた表示エリアを表示先に指定する表示先指定情報と、指定された前記表示エリアに合わせた前記表示情報とを受信し、前記表示先指定情報で指定された前記表示エリアに、受信した前記表示情報に対応する画像を表示させる車載側情報処理部を有することを特徴とする車載装置。
【発明の詳細な説明】
【技術分野】
【０００１】
本発明は、携帯端末の画面に表示される表示情報を車載装置の画面に表示させる情報表示システムおよび車載装置に関する。
【背景技術】
【０００２】
携帯端末の画面に表示される表示情報を車載装置の画面に表示させる情報表示システムが知られている。この種の情報表示システムには、有線インターフェースを介して携帯端末と接続する構成や、無線インターフェースを介して携帯端末と接続する構成が提案されている（例えば、特許文献１参照）。
【先行技術文献】
【特許文献】
【０００３】
【特許文献１】特開２００３−２４４３４３号公報
【発明の概要】
【発明が解決しようとする課題】
【０００４】
しかし、特許文献１の構成では、携帯端末の表示情報をそのまま車載装置に送信するため、送信データ量が多くなり、表示に時間がかかるおそれがある。例えば、Bluetooth（登録商標）などの近距離無線通信で送信した場合には、有線通信よりも通信速度が制限されるため、表示に時間がかかってしまうことがある。
本発明は、上述した事情に鑑みてなされたものであり、携帯端末から車載装置に送信するデータ量を低減し易く、且つ、車載装置側でスムーズに表示し易くした情報表示システムおよび車載装置を提供することを目的とする。
【課題を解決するための手段】
【０００５】
上記目的を達成するために、本発明は、車両内の携帯端末の画面に表示される表示情報を車載装置に送信し、前記車載装置の画面に表示させる情報表示システムにおいて、前記携帯端末は、前記車載装置の画面の一部に割り当てた表示エリアを表示先に指定する表示先指定情報を、前記車載装置に送信するとともに、前記表示情報を、指定された前記表示エリアに合わせた表示情報にして前記車載装置に送信する携帯側情報処理部を有し、前記車載装置は、前記表示先指定情報で指定された前記表示エリアに、受信した前記表示情報に対応する画像を表示させる車載側情報処理部を有することを特徴とする。
【０００６】
上記構成において、記携帯側情報処理部は、前記表示情報を、前記表示エリアの画面サイズ、画素数および色数の少なくともいずれかに合わせた情報に変換して、前記車載装置に送信しても良い。
【０００７】
また、上記構成において、前記表示先指定情報は、前記車載装置の画面の異なる領域に設定された複数の前記表示エリアのうちの１つ以上を指定する情報であり、前記携帯側情報処理部は、前記表示先指定情報で指定された前記表示エリア毎に、各表示エリアに合わせた前記表示情報を送信するようにしても良い。
【０００８】
また、上記構成において、前記携帯側情報処理部は、一又は複数の前記表示エリアが設定された複数のテンプレートのいずれかを指定するテンプレート指定情報を、前記車載装置に送信し、前記表示先指定情報は、指定された前記テンプレートにある表示先の表示エリアを指定する情報であっても良い。
【０００９】
また、上記構成において、前記車載側情報処理部は、発生したイベントを特定するイベント特定情報を前記携帯端末に送信し、前記携帯側情報処理部は、前記イベント特定情報に基づいていずれかの前記表示エリアまたは前記テンプレートを選択し、選択した前記表示エリアを指定する前記表示先指定情報、または、選択した前記テンプレートを指定する前記テンプレート指定情報を、前記車載装置に送信するようにしても良い。
【００１０】
また、上記構成において、前記携帯側情報処理部は、前記携帯端末の音声情報を、前記車載装置の音声出力形態に合わせた音声情報にして前記車載装置に送信し、前記車載側情報処理部は、受信した前記音声情報に基づいて音声を出力させるようにしても良い。
【００１１】
また、本発明は、車両内の携帯端末から前記携帯端末の画面に表示される表示情報を受信して画面に表示させる車載装置において、前記携帯端末から、当該車載装置の画面の一部に割り当てた表示エリアを表示先に指定する表示先指定情報と、指定された前記表示エリアに合わせた前記表示情報とを受信し、前記表示先指定情報で指定された前記表示エリアに、受信した前記表示情報に対応する画像を表示させる車載側情報処理部を有することを特徴とする。
【発明の効果】
【００１２】
本発明によれば、携帯端末から車載装置に送信するデータ量を低減し易く、且つ、車載装置側でスムーズに表示し易くすることができる。
【図面の簡単な説明】
【００１３】
【図１】本発明の情報表示システムの一実施形態に係る車載情報表示システムの図である。
【図２】車載装置と携帯端末の概要構成を示すブロック図である。
【図３】連携処理時の車載装置の機能的構成を示したブロック図である。
【図４】連携処理時の携帯端末の機能的構成を示したブロック図である。
【図５】表示テンプレートを示す図である。
【図６】テンプレート番号（１）の管理情報を示す図である。
【図７】テンプレート番号（２）の管理情報を示す図である。
【図８】（Ａ）は利用テンプレート管理表を示し、（Ｂ）は表示状態管理表を示す図である。
【図９】連携処理の流れを示す図である。
【図１０】図９の続きを示す図である。
【図１１】車載装置の起動処理時の画面遷移を示した図である。
【図１２】図１１の続きの画面遷移を示す図である。
【発明を実施するための形態】
【００１４】
以下、図面を参照して本発明の実施の形態について説明する。
図１は、本発明の情報表示システムの一実施形態に係る車載情報表示システムを示す図である。
この車載情報表示システム１０は、自動車などの車両に搭載されるシステムであり、車両に設置されるとともに無線通信機能を備えた車載装置１１と、車載装置１１と無線通信可能な携帯端末２１とを備える。車載装置１１は、車両内に固定される装置であり、各種情報を表示する画面１１Ｘを有するとともに、複数のハードキー（ハードウェアキーとも言う）を構成する操作スイッチ１１Ａ〜１１Ｅを備えている。例えば、この車載装置１１は、経路案内などを行うカーナビゲーション装置や、ＣＤなどの記録媒体に記録された音声やラジオ音声を車両に配置されたスピーカーから放音させるカーオーディオ装置である。
携帯端末２１は、ユーザー（車両の搭乗者）が持ち運び可能な携帯型の装置であり、各種情報を表示する画面２１Ｘを有している。この携帯端末２１は、例えば、スマートフォンである。
【００１５】
図２は、車載装置１１と携帯端末２１の概要構成を示すブロック図である。
車載装置１１および携帯端末２１のそれぞれは、情報処理部１２、２２と、表示部１３、２３と、操作部１４、２４と、音声出力部１５、２５と、記憶部１６、２６と、無線通信部１７、２７とを備えている。情報処理部１２、２２は、ＣＰＵ、ＲＡＭ、ＲＯＭおよび周辺回路を有し、車載装置１１および携帯端末２１のそれぞれを中枢的に制御するコンピューターとして機能し、各種の処理を実行する。
例えば、車載装置１１の情報処理部１２は、公知のカーナビゲーション装置やカーオーディオ装置が実行する経路案内処理や音声処理などの処理を実行する。また、携帯端末２１の情報処理部２２は、公知の携帯端末が実行する通話のための各種処理や、インターネットをブラウジングするブラウジング処理や、インターネットなどから取得した各種アプリケーションプログラムを実行する処理などを実行する。
【００１６】
表示部１３、２３は、情報処理部１２、２２の制御の下、各種の画像を表示させる表示装置であり、例えば液晶表示装置で構成される。なお、一般に、車載装置１１の表示部１３は、携帯端末２１の表示部２３よりも大画面の表示装置が適用され、画面サイズ（アスペクト比や解像度）や表示色数などの仕様が異なる。
例えば、車載装置１１の表示部１３の画面サイズ（解像度）はワイド7型ＶＧＡ（800×480ピクセル）であり、表示色数は65536色（１６ビットカラー）である。これに対し、携帯端末２１の表示部２３の画面サイズ（解像度）は960×640ピクセルであり、表示色数は16777216色（２４ビットカラー）である。
【００１７】
操作部１４、２４は、ユーザー操作を検出して情報処理部１２、２２に通知する装置であり、タッチパネル１４Ａ、２４Ａや操作スイッチ１１Ａ〜１１Ｅ（図１）を有する。タッチパネル１４Ａ、２４Ａは、各表示部１３、２３の画面１１Ｘ、２１Ｘに重ねて配置された透過性のパネルであり、各表示部１３、２３の画面１１Ｘ、２１Ｘ上でユーザーが指で触れた位置を検出する。
【００１８】
音声出力部１５、２５は、デコーダやアンプなどを備え、情報処理部１２、２２の制御の下、各種の音声をスピーカーから出力させる。具体的には、車載装置１１の音声出力部１５は、各種音声フォーマットの音声データから所定チャンネル数（モノラル、ステレオ、や５．１チャンネルなど）の音声信号を生成し、車両に設置されたスピーカーから放音させる。この音声の具体例としては、ナビゲーション用の案内音声、ＣＤ音声、ラジオ音声、携帯端末２１から送信された各種の音声である。
また、携帯端末２１の音声出力部２５は、各種音声フォーマットの音声データから音声信号を生成し、携帯端末２１に設けられたスピーカーから放音させる。この音声の具体例としては、通話音声や、携帯端末２１に記憶された映像や音楽の各種音声である。
【００１９】
記憶部１６、２６は、情報処理部１２、２２が実行する制御プログラムや各種のデータを記憶する。この記憶部１６、２６には、例えば、ＨＤＤ（Hard Disk Drive）、半導体メモリ、ＣＤ-ＲＯＭ、又は、ＤＶＤ-ＲＯＭが適用される。
無線通信部１７、２７は、情報処理部１２、２２の制御の下、BluetoothやWi-Fi（登録商標）などの近距離無線通信を行うための無線通信インターフェースである。これら無線通信部１７、２７により、車載装置１１と車両内の携帯端末２１との間で無線通信することができる。
なお、車載装置１１および携帯端末２１は、公知の車載装置および携帯端末がそれぞれ具備する他の構成を具備していても良い。
【００２０】
ところで、近年、車載装置や携帯端末の高機能化に伴い、携帯端末の画面に表示される表示情報を車載装置の画面に表示させる機能（連携機能とも言う）が車載装置および携帯端末に徐々に搭載されている。これにより、車両内のユーザーは、携帯端末の画面よりも大きくて見やすい車載装置の画面で、携帯端末の表示画像（例えば、インターネットのブラウジング画像、携帯端末で再生中の映像や楽曲のタイトルなどの情報）を確認することができる。
本実施形態の車載装置１１および携帯端末２１も上記連携機能を具備している。つまり、車載情報表示システム１０は、車載装置１１と携帯端末２１とが通信接続された状態で、携帯端末２１の所定のアプリケーションプログラムを実行することにより、車載装置１１でも対応するアプリケーションプログラムを実行し、携帯端末２１の画面２１Ｘに表示される表示情報を、車載装置１１の画面１１Ｘに表示させる連携処理が実行される。
【００２１】
図３は、連携処理時の車載装置１１の機能的構成を示した図であり、図４は、携帯端末２１の機能的構成を示したブロック図である。なお、図３および図４は、連携機能に関わる構成を示している。
図３において、車載装置１１内の各構成は、車載装置１１の情報処理部１２が、記憶部１６に記憶されたアプリケーションプログラムを実行することにより、表示部１３、操作部１４、記憶部１６および無線通信部１７などの各種ハードウェアを適宜に利用して構築される。
また、図４において、携帯端末２１内の各構成についても、携帯端末２１の情報処理部２２が、記憶部２６に記憶された所定のアプリケーションプログラムを実行することによって、表示部２３、操作部２４、記憶部２６および無線通信部２７などの各種ハードウェアを適宜に利用して構築される。なお、図３および図４中、図２に示す構成と同様の構成は同一の符号を付して示している。
【００２２】
この車載情報表示システム１０においては、車載装置１１の画面１１Ｘに対応する表示テンプレートを予め設定し、この表示テンプレートの一部を、携帯端末２１の表示画像に相当する表示イメージ情報の表示エリアに割り当てている。
図５は、表示テンプレートを示す図である。
図５に示すように、本構成では、番号（１）〜（３）で各々特定される複数（３個）の表示テンプレートを設定し、各表示テンプレートに、複数の表示エリア（図５中、番号（Ｉ）、（ＩＩ）、（ＩＩＩ）、（ＩＶ）で特定される表示エリア）を設定している。
この表示テンプレートは、車載装置１の画面１１Ｘ全体に相当し、各表示エリアが画面１１Ｘの一部の領域に相当する。ここで、番号（１）の表示テンプレートを説明すると、表示エリア（Ｉ）は、携帯端末２１の表示画像中のメイン画像を表示するのに好適なエリアに設定され、表示エリア（ＩＩ）〜（ＩＶ）は、携帯端末２１の表示画像中の操作画像（ソフトキー（ソフトウェアキー）に対応する操作画像）を表示するのに好適なエリアに設定されている。
【００２３】
このように、表示テンプレートに、メイン画像の表示に好適な表示エリア（Ｉ）と、操作画像といったサブ画像の表示に好適な表示エリア（ＩＩ）〜（ＩＶ）とをそれぞれ設定したので、携帯端末２１の表示画像全体を表示しなくても、実質的に同等の内容を表示させることが可能になる。これにより、本実施形態では、携帯端末２１の表示画像全体のうち、重要度の低い画像を車載装置１に送信することを不要にし、表示画像全体の一部の画像（表示イメージ情報）だけで、車載装置１１に携帯端末２１とほぼ同等の画像を表示させる。
また、本実施形態では、複数の表示テンプレートを備えるため、表示テンプレート毎に表示エリアの位置や大きさを変更することができ、表示形態にバリエーションを持たせることができる。
【００２４】
この表示テンプレートの情報Ｄ１、より具体的には、テンプレート番号と表示エリアとを対応づけた情報Ｄ１は、少なくとも携帯端末２１の記憶部１６に記憶されている。また、この情報Ｄ１は、携帯端末２１から車載装置１１に無線送信することによって車載装置１１の記憶部１６にも適宜に記憶される。
また、携帯端末２１の記憶部１６には、携帯端末２１および車載装置１１の画面情報Ｄ２と、各表示テンプレートの管理情報Ｄ３も記憶されている。なお、車載装置１１の画面情報Ｄ２は、車載装置１１から取得するようにしても良いし、携帯端末２１がアクセス可能なサーバーからダウンロードして取得するようにしても良い。
【００２５】
ここで、画面情報Ｄ２は、携帯端末２１および車載装置１１の画面サイズ（解像度、アスペクト比）、表示色数、画素数（密度）などの画面１１Ｘ、２１Ｘの仕様情報である。また、管理情報Ｄ３は、表示テンプレート毎の画面遷移を規定した情報である。
なお、図５中、表示テンプレートの下方の領域（Ａ）〜（Ｅ）は、図１に示すハードキー（操作スイッチ１１Ｂ）の領域を示している。
【００２６】
図６は、テンプレート番号（１）の管理情報Ｄ３を示す図である。また、図７は、テンプレート番号（２）の管理情報Ｄ３を示す図である。
図６および図７に示すように、管理情報Ｄ３は、イベント番号と、ユーザー操作と、各表示エリア（Ｉ）〜（ＩＶ）（図７では３つの表示エリア（Ｉ）〜（ＩＩＩ））の表示内容とを対応づけた情報である。ここで、イベント番号は、操作部１４の操作により発生する割り込みを管理する情報（イベント特定情報）である。
また、図６および図７中、小文字の英字で示す情報（ａ）〜（ｌ）は、各値に予め対応づけられた表示イメージ情報を示し、数字（１）〜（３）は、その数字のテンプレート番号への切り替えを示し、「−」は、画面遷移をしないことを示している。
【００２７】
具体例を挙げると、図６に示す管理情報Ｄ３では、起動時（イベント番号１７のイベント発生時）に表示エリア（Ｉ）に表示イメージ情報（ａ）を表示し、表示エリア（ＩＩ）に表示イメージ情報（ｄ）を表示し、表示エリア（ＩＩＩ）に表示イメージ情報（ｆ）を表示し、表示エリア（ＩＶ）に表示イメージ情報（ｈ）を表示すること、その後に、イベント番号（２）のイベントが発生すると、表示エリア（Ｉ）を表示イメージ情報（ｂ）に切り替え、表示エリア（ＩＩ）〜（ＩＶ）については画面遷移しないことが記述されている。また、その後、イベント番号（４）のイベントが発生すると、テンプレート番号（２）へ切り替えることなどが記述されている。
【００２８】
一方、図７に示す管理情報Ｄ３では、起動時（イベント番号１４のイベント発生時）に表示エリア（Ｉ）に表示イメージ情報（ｉ）を表示し、表示エリア（ＩＩ）に表示イメージ情報（ｋ）を表示し、表示エリア（ＩＩＩ）に表示イメージ情報（ｌ）を表示すること、その後に、イベント番号（２）のイベントが発生すると、表示エリア（Ｉ）を表示イメージ情報（ｊ）に切り替え、表示エリア（ＩＩ）、（ＩＩＩ）については画面遷移しないことが記述されている。また、その後、イベント番号（５）のイベントが発生すると、テンプレート番号（１）へ切り替えることなどが記述されている。
このように、イベントによっては、全ての表示エリアの表示を切り替えるのではなく、一部の表示エリアだけを切り替えるので、切り替えに必要な表示イメージ情報のデータ量が少なくて済む。
【００２９】
なお、携帯端末２１には、図８（Ａ）に示す利用テンプレート管理表Ｄ４や、図８（Ｂ）に示す表示状態管理表Ｄ５が、記憶部２６またはＲＡＭに記憶されている。
図８（Ａ）に示すように、利用テンプレート管理表Ｄ４は、利用中の表示テンプレートの番号を記述した情報である。これによって、携帯端末２１は、車載装置１１で利用中の表示テンプレートを把握することができる。
また、図８（Ｂ）に示すように、表示状態管理表Ｄ５は、各表示エリア（Ｉ）〜（ＩＶ）の表示状態（表示イメージ情報を示す情報）を記述した情報である。これによって、携帯端末２１は、車載装置１１の各表示エリアに表示中の情報を把握することができる。
【００３０】
次いで、図３および図４に示した構成を用いて連携処理時の動作を説明する。
図９は、連携処理の流れを示す図であり、図１０はその続きを示している。
まず、図９に示すように、車載装置１１では、起動処理を開始すると、イベント番号送信部５１（図３）が、操作部１４（図２）の操作により発生するイベントを特定するイベント番号（イベント特定情報）を、送信制御部５２および無線通信部１７を介して携帯端末２１に無線送信する（ステップＳ１）。
【００３１】
携帯端末２１では、イベント番号受信部７１（図４）が、車載装置１１から無線送信されたイベント番号を無線通信部２７および受信制御部７２を介して受信すると、テンプレート番号判定部７３（図４）が、イベント番号と利用テンプレート管理表Ｄ４（図８（Ａ））とに基づいて管理情報Ｄ３（図６）を参照し、該当するテンプレート番号を取得する（ステップＳ２）。
なお、初回起動時は、利用テンプレート管理表Ｄ４がデフォルト値（テンプレート番号（１））に設定される。このため、ステップＳ２ではテンプレート番号（１）が取得される。
そして、携帯端末２１では、テンプレート番号送信部７４（図４）が、取得したテンプレート番号（テンプレート指定情報）を、送信制御部７５および無線通信部２７を介して携帯端末２１に無線送信する（ステップＳ３）。
【００３２】
車載装置１１では、テンプレート番号受信部５３（図３）が、携帯端末２１から無線送信されたテンプレート番号を無線通信部１７および受信制御部５４（図３）を介して受信し、テンプレート有無判定部５５（図３）が、受信したテンプレート番号が存在するか否かを判定する（ステップＳ４）。
この場合、車載装置１１では、受信したテンプレート番号に対応する表示テンプレートが、記憶部１６に記憶されているか否かを判定する。そして、その表示テンプレートが存在しない場合にテンプレート番号が存在しないと判定し、表示テンプレートが存在した場合にテンプレート番号が存在したと判定する。
【００３３】
テンプレート番号が存在しなかった場合、車載装置１１では、表示テンプレート要求送信部５６（図３）が、上記テンプレートの要求を、送信制御部５２および無線通信部１７を介して携帯端末２１に行う（ステップＳ５）。この場合、携帯端末２１では、表示テンプレート要求受信部７６（図４）が、その要求を受信すると、表示テンプレート送信部７７（図４）が、要求された表示テンプレートの情報Ｄ１を車載装置１１に無線送信する（図８のステップＳ６）。
これによって、車載装置１１の表示テンプレート受信部５７により、表示テンプレートの情報Ｄ１が受信され、記憶部１６に格納された後、表示部１３によりそのテンプレート番号に対応する表示テンプレートを、画面１１Ｘに描画する処理が実行される（ステップＳ７）。
【００３４】
一方、テンプレート番号が存在する場合、ステップＳ７へ移行し、車載装置１１では、表示テンプレートを画面１１Ｘに描画する処理が実行される。以上のステップＳ２〜Ｓ７が、「テンプレート判定処理＋テンプレート描画処理」である。
【００３５】
次に、携帯端末２１では、表示状態取得部７８（図４）が、表示状態管理表Ｄ５により各表示エリア（テンプレート番号（１）の表示エリア（Ｉ）〜（ＩＶ））を取得する（ステップＳ８）。また、表示イメージ番号判定部７９が、イベント番号と表示状態管理表Ｄ５とに基づいて管理情報Ｄ３を参照し、表示または画面遷移させる表示イメージ情報（図６中の（ａ）〜（ｆ））などの情報を取得する（ステップＳ９）。この場合、利用テンプレート取得部８０が、表示状態管理表Ｄ５を参照することによって、利用中の表示テンプレートを特定する。
【００３６】
ステップＳ９で取得した情報が「−（画面遷移なし）」の場合（ステップＳ１０；YES）、次の表示エリアを確認すべく、ステップＳ８の処理へ移行する。
一方、ステップＳ９で取得した情報が「（別のテンプレートに遷移）」の場合（ステップＳ１１；YES）、利用テンプレート管理表Ｄ４（図８（Ａ））を更新し（ステップＳ１２）、イベント番号１７を設定し（ステップＳ１３）、全ての表示エリアの表示状態を表示無しに設定する（ステップＳ１４）。そして、ステップＳ２へと移行する。
【００３７】
また、ステップＳ９で取得した情報が「表示イメージ」の場合（ステップＳ１５；YES）、表示イメージ取得部８１（図４）が、その表示イメージに対応する表示イメージ情報を取得する（ステップＳ１５）。ここで、表示イメージ情報は、携帯端末２１内（アプリケーションプログラム内）に保持している情報（例えば、ソフトキーに対応する操作画像）や、携帯端末２１がサーバーから取得した情報（例えば、インターネットのブラウジング画像）などである。
このとき、表示イメージ取得部８１は、表示イメージ情報を、表示先の表示エリアの画面サイズ（アスペクト比や解像度）、画素数（密度）、色数に合わせたデータに変換するデータ変換処理も行う。つまり、表示イメージ取得部８１は、表示イメージ情報を、表示エリアに合わせた情報に変換する変換処理部としても機能する。
【００３８】
次いで、携帯端末２１では、表示エリア番号送信部８２（図４）により、表示先を示す表示エリア番号（表示先指定情報）を車載装置１１に無線送信するとともに、表示イメージ送信部８３により、表示エリアに合わせた表示イメージ情報を車載装置１１に無線送信する（ステップＳ１６）。
【００３９】
続いて、車載装置１１では、表示エリア番号受信部５８（図３）により表示エリア番号を受信するとともに、表示イメージ受信部５９により表示イメージ情報を受信すると、その表示エリア番号に対応する表示領域に、受信した表示イメージ情報に対応する画像を表示させる（ステップＳ１７）。
その後、車載装置１１では、表示描画判定部６０により描画結果を判定し、描画結果送信部６１により、描画結果（描画した表示エリア番号と、描画した表示イメージを特定する情報）を携帯端末２１に無線送信する（ステップＳ１８）。
【００４０】
携帯端末２１では、描画結果受信部８４（図４）が、受信した描画結果を判定し、指定した通りに描画されたか否か（ステップＳ１６の送信結果との整合性）を判定する（ステップＳ１９）。そして、描画結果がＯＫの場合、表示エリアの表示エリアを更新すべく表示状態管理表Ｄ５（図８（Ｂ））を更新し（ステップＳ２０）、次の表示エリアの表示を行うべく、ステップＳ８へと移行する。
一方、描画結果がＮＯの場合は、ステップＳ２０を行わずにステップＳ８へと移行する。このようにして、上記ステップＳ８からステップＳ２０の処理を、表示エリアの数だけ繰り返す。以上のステップＳ８〜Ｓ２０が「表示エリアへの描画イメージ判定処理＋表示エリア描画処理」である。
【００４１】
また、車載装置１１において、割込処理判定部５０（図３）は、操作部１４（図２）の操作を監視し、操作を検出すると割込処理を行う。この割込時には、車載装置１１のイベント番号送信部５１（図３）が、その操作に応じたイベント番号を、携帯端末２１に無線送信する（ステップＳ２１）。
このようにイベント番号が携帯端末２１に送信されると、このイベント番号に基づき上記のステップＳ２〜Ｓ７の「テンプレート判定処理＋テンプレート描画処理」の処理、および、ステップＳ８〜Ｓ２０の「表示エリアへの描画イメージ判定処理＋表示エリア描画処理」が実行される。これによって、車載装置１１の画面１１Ｘの各表示エリアに、携帯端末２１から送信された表示イメージ画像に対応する画像が表示される。従って、車載装置１１の画面１１Ｘにて、携帯端末２１の表示画像（例えば、インターネットのブラウジング画像、携帯端末２１で再生中の映像や楽曲のタイトルなどの情報）を確認することが可能になる。
【００４２】
図１１は、車載装置１１の起動処理時（図６のイベント番号１７）の画面遷移を示す図である。
この場合、上記ステップＳ２に記載したように、テンプレート番号（１）が設定されるため、車載装置１１の画面１１Ｘには、まず、テンプレート番号（１）の表示テンプレートが表示される。
次に、携帯端末２１は、テンプレート番号（１）の管理情報Ｄ３（図６参照）に基づき、各表示エリア（Ｉ）〜（ＩＶ）の表示イメージ情報を順に車載装置１１に無線送信する。
【００４３】
具体的には、携帯端末２１は、表示エリア（Ｉ）に対応する表示イメージ情報として、情報（ａ）に対応する表示イメージ情報を無線送信し、車載装置１１は、情報（ａ）の画像を表示エリア（Ｉ）に表示する。次に、携帯端末２１は、表示エリア（ＩＩ）に対応する表示イメージ情報として、情報（ｄ）に対応する表示イメージ情報を無線送信し、車載装置１１は、情報（ｄ）の画像を表示エリア（ＩＩ）に表示する。続いて、携帯端末２１は、表示エリア（ＩＩＩ）に対応する表示イメージ情報として、情報（ｆ）に対応する表示イメージ情報を無線送信し、車載装置１１では、情報（ｆ）の画像を表示エリア（ｆ）に表示する。その後、携帯端末２１は、表示エリア（ＩＶ）に対応する表示イメージ情報として、情報（ｈ）に対応する表示イメージ情報を無線送信し、車載装置１１では、情報（ｈ）の画像を表示エリア（ＩＶ）に表示する。
【００４４】
図１１に示すように、上記表示エリア（ＩＩ）〜（ＩＶ）に表示した画像（ｄ、ｆ、ｈ）は、ソフトキーの操作画像に相当している。図１２は、図１１の続きの画面遷移を示す図である。
表示エリア（ＩＩ）のソフトキー（ｄ）がユーザーにタッチ操作されると、車載装置１１は、そのタッチ操作に応じたイベント番号２を、携帯端末２１に無線送信する。この場合、携帯端末２１は、テンプレート番号（１）の管理情報Ｄ３（図６参照）に基づき、表示エリア（Ｉ）に対応する表示イメージ情報として、情報（ｂ）に対応する表示イメージ情報を無線送信し、車載装置１１は、情報（ｂ）の画像を表示エリア（Ｉ）に表示する。
なお、管理情報Ｄ３（図６参照）には、表示エリア（ＩＩ）〜（ＩＶ）については画面遷移しないことが記述されるので、表示エリア（ＩＩ）〜（ＩＶ）の表示画像はそのままである。
【００４５】
一方、表示エリア（ＩＶ）のソフトキー（ｈ）がユーザーにタッチ操作されると、車載装置１１は、そのタッチ操作に応じたイベント番号４を、携帯端末２１に無線送信する。この場合、携帯端末２１は、管理情報Ｄ３（図６参照）に基づき、テンプレート番号（２）を通知することにより、車載装置１１の画面１１Ｘに、テンプレート番号（２）の表示テンプレートを表示させる。
次に、携帯端末２１は、テンプレート番号（２）の管理情報Ｄ３（図７参照）に基づき、各表示エリア（Ｉ）〜（ＩＩＩ）の表示イメージ情報を順に車載装置１１に無線送信する。
【００４６】
具体的には、携帯端末２１は、表示エリア（Ｉ）に対応する表示イメージ情報として、情報（ｉ）に対応する表示イメージ情報を無線送信し、車載装置１１は、情報（ｉ）の画像を表示エリア（Ｉ）に表示する。次に、携帯端末２１は、表示エリア（ＩＩ）に対応する表示イメージ情報として、情報（ｋ）に対応する表示イメージ情報を無線送信し、車載装置１１は、情報（ｋ）の画像を表示エリア（ＩＩ）に表示する。続いて、携帯端末２１は、表示エリア（ＩＩＩ）に対応する表示イメージ情報として、情報（ｌ）に対応する表示イメージ情報を無線送信し、車載装置１１では、情報（ｌ）の画像を表示エリア（ｆ）に表示する。
これによって、イベント番号４に応じて車載装置１１の画面１１Ｘが切り替えられる。なお、上記表示エリア（ＩＩ）〜（ＩＩＩ）に表示した画像（ｋ、ｌ）は、ソフトキーの操作画像に相当している。
【００４７】
以上説明したように、本実施の形態によれば、携帯端末２１側の情報処理部（携帯側情報処理部）２２は、車載装置１１の画面１１Ｘの一部に割り当てた表示エリアを表示先に指定する表示エリア番号（表示先指定情報）を車載装置１１に送信する表示エリア番号送信部８２と、携帯端末２１の表示イメージ情報（表示情報に相当）を、表示先の表示エリアに合わせた情報にする表示イメージ取得部８１と、表示イメージ情報を車載装置１１に送信する表示イメージ送信部８３として機能する。また、車載装置１１側の情報処理部（車載側情報処理部）１２は、表示部１３により、表示エリア番号（表示先指定情報）で指定された表示エリアに、受信した表示イメージ情報に対応する画像を表示させる。
【００４８】
これらにより、携帯端末２１の表示画像全体を車載装置１１に送信する必要がなく、送信データ量を低減できる。また、携帯端末２１の表示イメージ情報（表示情報）を、表示先の表示エリアに合わせた情報にして車載装置１１に送信するので、車載装置１１側で表示エリアに合わせる画像変換処理を不要または低減することができ、車載装置１１側の処理負担を低減することができる。従って、携帯端末２１から車載装置１１に送信するデータ量を低減し易く、且つ、車載装置１１側でスムーズに表示し易くなる。
【００４９】
しかも、携帯端末２１側では、表示イメージ情報（表示情報）を、車載装置１１の表示エリアの画面サイズ、画素数および色数に合わせた情報に変換するので、車載装置１１側の処理負担を効率良く軽減することができ、車載装置１１側でスムーズに表示し易くなる。
また、表示エリア番号は、車載装置１１の画面１１Ｘの異なる領域に設定された複数の表示エリアのうちの少なくともいずれかを指定する情報であり、携帯端末２１側の情報処理部２２は、表示エリア番号で指定された表示エリア毎に、前記表示エリアに合わせた表示イメージ情報を車載装置１１に送信するので、表示エリア毎の表示更新が可能である。この構成によれば、一部の表示エリアのみを更新することが可能になり、車載装置１１に送信するデータ量を低減し、車載装置１１側でスムーズに表示し易くなる。
【００５０】
携帯端末２１側の情報処理部２２は、一又は複数の表示エリアが設定された複数の表示テンプレートのいずれかを指定するテンプレート番号（テンプレート指定情報）を、車載装置１１に送信し、車載装置１１に送信される表示エリア番号は、指定された表示テンプレートにある表示先の表示エリアを指定する情報であるため、表示テンプレートを変更することにより、表示のバリエーションを増やすことができる。
また、車載装置１１側の情報処理部１２は、発生したイベントを特定するイベント番号（イベント特定情報）を携帯端末２１に送信し、携帯端末２１側の情報処理部２２は、イベント番号に基づいていずれかの表示エリアまたは表示テンプレートを選択し、選択した表示エリアを指定する表示エリア番号、または、選択した表示テンプレートを指定するテンプレート番号を、車載装置１１に送信するので、イベントに応じて表示エリアの表示を更新したり、表示テンプレートを変更したりすることができる。
【００５１】
上述した実施形態は、あくまで本発明の一態様に過ぎず、本発明の範囲内で任意に変形が可能である。例えば、上述の実施形態では、携帯端末２１の画像を車載装置１１に表示させる場合を説明したが、画像に加えて、或いは、画像に代えて、携帯端末２１の音声を車載装置１１から出力させることも可能である。
具体的には、図９に示すステップＳ２などにおいて、さらに、車載装置１１より、車載装置１１の音声出力形態を示すチャンネル情報（モノラル、ステレオ、５．１チャンネル、スピーカー数など）を、携帯端末２１に無線送信する。そして、携帯端末２１が、携帯端末２１の音声に対応する音声情報を、受信したチャンネル情報に合わせた音声情報に変換し、車載装置１１に無線送信するようにすれば良い。この場合、車載装置１１は、受信した音声情報を、音声出力部２５により再生し、対応する音声をスピーカーから出力させる。これによって、車載装置１１側の音声処理に要する処理負担を低減でき、車載装置１１側でスムーズに再生し易くなる。
【００５２】
このように、携帯端末２１側の情報処理部２２が、携帯端末２１の音声情報を、車載装置１１の音声出力形態に合わせた音声情報にして車載装置１１に送信し、車載装置１１側の情報処理部１２が、受信した音声情報に基づいて音声を出力させるので、携帯端末２１の音声情報を車載装置１１側でスムーズに再生し易くなる。
なお、車載装置１１のチャンネル情報を車載装置１１から携帯端末２１に送信する場合を説明したが、インターネット上のサーバーから携帯端末２１がダウンロードしても良く、チャンネル情報の入手方法は適宜に変更が可能である。
【００５３】
また、上述の実施形態では、表示エリアを指定する表示先指定情報として、表示エリア番号を使用し、表示テンプレートを指定するテンプレート指定情報として、テンプレート番号を使用し、発生したイベントを特定するイベント特定情報として、イベント番号を使用する場合を説明したが、番号に限らず、表示エリア、表示テンプレートおよびイベントを一意に特定可能な情報を広く使用できる。
また、上述の実施形態では、携帯端末２１側（表示イメージ取得部８１）が、表示イメージ情報（表示情報）を、車載装置１１の表示エリアの画面サイズ、画素数および色数に合わせた情報に変換する場合を説明したが、少なくともいずれかに合わせた変換だけを行うようにしても良い。この場合も、車載装置１１側で、全ての変換を行う場合に比して処理負担を軽減できるので、スムーズに表示し易くなる、といった効果が得られる。このように一部の変換だけを行う場合、通信データ量を低減する観点からは、画面サイズに合わせた変換を少なくとも行うことが好ましい。
【００５４】
また、上述の実施形態では、イベント番号に応じて表示テンプレートを選択する場合を説明したが、車載装置１１の仕向け情報（地域、メーカ）を携帯端末２１が取得し、仕向け情報に基づいて表示テンプレートを選択するようにしても良い。
また、上述の実施形態では、車載装置１１と携帯端末２１とが無線通信する場合を説明したが、有線通信する場合に本発明を適用しても良い。また、車載装置１１は、車両に固定設置される装置に限らず、車両から移動可能な装置であっても良い。
【符号の説明】
【００５５】
１０  車載情報表示システム
１１  車載装置
１１Ｘ  車載装置の画面
１２  情報処理部（車載側情報処理部）
１３、２３  表示部
１４、２４  操作部
１５、２５  音声出力部
１６、２６  記憶部
１７、２７  無線通信部
２１  携帯端末
２１Ｘ  携帯端末の画面
２２  情報処理部（携帯側情報処理部）
（１）〜（３）  表示テンプレート
（Ｉ）〜（ＩＶ）  表示エリア
【図１】
2015089073.tif 000003
【図２】
2015089073.tif 000004
【図３】
2015089073.tif 000005
【図４】
2015089073.tif 000006
【図５】
2015089073.tif 000007
【図６】
2015089073.tif 000008
【図７】
2015089073.tif 000009
【図８】
2015089073.tif 000010
【図９】
2015089073.tif 000011
【図１０】
2015089073.tif 000012
【図１１】
2015089073.tif 000013
【図１２】
2015089073.tif 000014